(57)【要約】【課題】磁気テープ記録媒体からの再生映像信号をダビング記録する時に、チャプタを自動的に作成する方法と、その方法を搭載したディスク媒体の映像信号記録装置を提供する。【解決手段】磁気テープ記録媒体を再生し、映像信号とその映像信号が記録された時点の時間情報とを入力し、この再生映像信号をダビング記録するに際し、入力された時間情報の不連続点を検出し、その不連続点の発生した位置をチャプタ情報として、チャプタ記録領域に所定の情報を記録することで、自動的にチャプタの記録が行えるディスク媒体の映像信号記録装置を提供することができる。【選択図】図３
2005038512.tif 000002
【特許請求の範囲】
【請求項１】
映像信号と、この映像信号の記録の断続と無関係に時間が経過するか、もしくは記録の断続のときに時間がリセットされる時間情報とが記録されている磁気テープ記録媒体を再生し、前記映像信号のダビング記録を行うに際して、断続して記録されている前期映像信号の記録再開点とチャプタ情報とが同期するように前記映像信号とチャプタ情報の記録を行うディスク媒体を用いた映像信号記録装置において、
再生された前記時間情報から時間の不連続点を検出する検出手段と、
前記検出された不連続点の情報に基いたチャプタ信号を作成するチャプタ作成手段と、
作成された前記チャプタ信号を、前記ディスク媒体上に記録するチャプタ記録手段と、
前記再生映像信号を、前記ディスク媒体上に記録する映像信号記録手段と、
を有することを特徴とする映像信号記録装置。
【請求項２】
ディスク媒体を用いた映像信号記録装置に、磁気テープ記録媒体からの再生映像信号と、この再生映像信号に関連するチャプタ情報とを一緒に記録するにあたり、前記チャプタ情報の作成方法において、
前記再生映像信号と、この再生映像信号を磁気テープ記録媒体に記録した時の時間情報とを前記磁気テープ記録媒体の再生装置より入力する第１のステップと、
入力された前記時間情報の時間の不連続点を検出する第２のステップと、
前記検出された不連続点の情報に基いたチャプタ情報を作成する第３のステップと、
を有することを特徴とするチャプタ情報の作成方法。
【発明の詳細な説明】
【技術分野】
【０００１】
本発明は、ディスク媒体を用いた映像信号の記録再生装置に係り、特に、磁気テープ記録媒体からの再生映像信号をこの装置でダビング記録する際のチャプタ情報の記録に関するものである。
【背景技術】
【０００２】
映像信号の記録再生装置として、磁気テープ記録媒体を用いたビデオテープレコーダが現在も多く使われている。しかし、近年、光ディスク媒体やハードディスク媒体を用いた映像信号の記録再生装置が製品化されるようになり、媒体の高性能化と信号処理技術の向上とが相俟って長時間化高画質化が著しく、一部の用途ではビデオテープレコーダに取って代わる製品も現れている。
【０００３】
良く知られているように、テープ媒体に比してディスク媒体を用いた映像信号の記録再生装置が持つ特徴の一つは再生時のアクセス性の良さである。すなわち、記録されている任意の個所をすぐに再生できることである。
ＤＶＤ（デジタル・バーサタイル・ディスク）プレヤー装置として、記録済みのビデオソフト（ディスク）を再生するシステムでは、この特徴を生かすために、ビデオソフトにあらかじめチャプタと呼ぶ「場面の区切り」を示す情報を幾つか入れておき、使用者が見たい個所のチャプタを指定することでプログラムの途中からの再生がすぐに出来るようになっている。
【０００４】
このようなビデオソフトの場合には、あらかじめプログラムの全貌が分かっているので、チャプタを入れる個所を事前に決めることが可能であるが、前記の自分で記録する装置の場合には、記録時に「場面の区切り」の個所が分からないとチャプタを入れるのが難しいことになる。
上記のような不具合に対し下記特許文献１では、記録時にＣＭカット等で使用者が手動で、もしくはＣＭ自動検出によって自動で記録の動作を一時停止し、その後に記録が再開された時が「場面の区切り」と定義して、この一連の操作が行われた所をチャプタ情報の個所とする技術を開示している。
【０００５】
【特許文献１】特開２００２−１５２６３６号公報
【発明の開示】
【発明が解決しようとする課題】
【０００６】
上記特許文献１ではチャプタ情報の個所として、「映像信号記録の動作を一時停止の状態から動作を再開した時」としているが、この方法はＣＭカット等の場合には有効であるが、例えば、ビデオテープレコーダの再生映像信号をダビング記録する時にチャプタ情報を記録したいような場合には、使用者が再生画像を見ながら、所定の場所が来たら再生側の装置（ビデオテープレコーダ）と記録側の装置の両方を同時に一時停止にし、その後続いて一時停止を解除する操作が必要となるので、ダビング記録を通し（スタートしたら最後まで人手を介さない）で行えない不便さや、一時停止や再開の操作を誤る恐れもある。
本発明は、上記問題点に鑑みなされたものであり、ビデオテープレコーダの再生映像信号を、ディスク媒体を用いた映像信号記録装置でダビング記録する場合に、チャプタを自動で記録する装置および方法を提供することを目的とするものである。
【課題を解決するための手段】
【０００７】
本発明は、上記課題を解決する手段として以下の（１）（２）に記載の構成からなる。すなわち、
（１）映像信号と、この映像信号の記録の断続と無関係に時間が経過するか、もしくは記録の断続のときに時間がリセットされる時間情報とが記録されている磁気テープ記録媒体を再生し、前記映像信号のダビング記録を行うに際して、断続して記録されている前期映像信号の記録再開点とチャプタ情報とが同期するように前記映像信号とチャプタ情報の記録を行うディスク媒体を用いた映像信号記録装置において、
再生された前記時間情報から時間の不連続点を検出する検出手段と、
前記検出された不連続点の情報に基いたチャプタ信号を作成するチャプタ作成手段と、
作成された前記チャプタ信号を、前記ディスク媒体上に記録するチャプタ記録手段と、
前記再生映像信号を、前記ディスク媒体上に記録する映像信号記録手段と、
を有することを特徴とする映像信号記録装置。
（２）ディスク媒体を用いた映像信号記録装置に、磁気テープ記録媒体からの再生映像信号と、この再生映像信号に関連するチャプタ情報とを一緒に記録するにあたり、前記チャプタ情報の作成方法において、
前記再生映像信号と、この再生映像信号を磁気テープ記録媒体に記録した時の時間情報とを前記磁気テープ記録媒体の再生装置より入力する第１のステップと、
入力された前記時間情報の時間の不連続点を検出する第２のステップと、
前記検出された不連続点の情報に基いたチャプタ情報を作成する第３のステップと、
を有することを特徴とするチャプタ情報の作成方法。
【発明の効果】
【０００８】
本発明では、カムコーダーやＤＶＣムービーなどのビデオテープレコーダで記録された映像信号を、ディスク媒体を用いた映像信号記録装置でダビング記録する場合、磁気テープ記録媒体に映像信号と同時に記録されている時間情報の不連続点を検出し、その不連続点をチャプタの位置情報としてチャプタを作成し記録することで、人手を介さず自動的にチャプタの記録が行える効果を奏する。またその結果、ダビング記録が通しで行えるので誤操作の心配がないという効果も併せて有する。
更に、上記時間情報の不連続点は、記録時にテープ走行を一旦止めた点であるから、場面の展開が行われた所であり、チャプタの位置情報として最適である効果も有する。
【発明を実施するための最良の形態】
【０００９】
以下、本発明の映像信号記録装置およびチャプタ作成方法の実施形態につき、好ましい実施例により図面を参照して説明する。
【実施例】
【００１０】
図１は、本実施例によるディスク媒体を用いた映像信号記録再生装置とビデオテープレコーダとの間で、ダビング記録を行う時の接続を示したものであり、（Ａ）はアナログ式のビデオテープレコーダとの接続を、（Ｂ）はデジタル式であるＤＶＣ方式のムービーとの接続を示したものである。
また、上記ディスク媒体として、本実施例ではＤＶＤ記録媒体を用いるものとする。
【００１１】
図１（Ａ）の接続では、アナログビデオテープレコーダ１からVideo、Audio信号と共にControl信号が出力され、夫々の信号はディスク映像信号記録再生装置３に入力されている。
これらの信号で、VideoとAudio信号はダビング記録を行う通常の再生信号であるが、Control信号は、本実施例ではチャプタを作成するための情報が伝送される信号線である。  また、このControl信号の伝送には、図示したようにRS-422インタフェースを用いているが、このインタフェースは、放送用、業務用のビデオテープレコーダでは標準的に用いられている比較的高速な転送速度を持つ双方向シリアルインタフェースで、通常は制御コマンドやステータス、タイムコードの伝送などが行われる。本実施例では、このControl信号線を用いて時間情報（タイムコード）を伝送する部分のみが関係するので、説明の簡略化のために他の部分は省略する。
なお、上記アナログビデオテープレコーダ１は、記録時に下記で説明する時間情報が記録できる機能を持ったものであり、一例として、業務用のカムコーダ（カメラ一体型ビデオテープレコーダ）がある。
また、この実施例ではRS-422インタフェースを用いているが、これに限ることはなくRS-232Cなど他のインタフェースであっても良いことはもちろんである。
【００１２】
次に、このControl信号線で伝送する時間情報について説明する。
再生側のアナログビデオテープレコーダ１は、上記Control信号線を経由して、記録側のディスク映像信号記録再生装置３から問合せがあると、それに応答して、前記時間情報を同じくControl信号線を通して出力する。この時、本実施例で用いる時間情報としては、図２（Ａ）または（Ｂ）で示す内容を持ったものが、あらかじめVideo、Audio信号と共にテープ上に記録されている。
すなわち、図２（Ａ）は、時間情報として、記録の経過と共に時間が積算される形態であるが、記録の途中で「一時停止（Pause）」や「停止（Stop）」が行われた時に、テープ走行は停止していても時間は経過していくもので、したがって、次に記録を再開した時の時間情報は、同図の（ａ）（ｂ）（ｃ）点のように、停止していた時間が経過した後の時間から時間情報の記録を始めるようにしたものである。なお、このように記録する時間情報源としては、記録時の時計時間（現在時間）を利用すれば良い。
【００１３】
また、図２（Ｂ）は、記録の途中で「一時停止」や「停止」が行われた時に時間情報をリセットするもので、同図の（ａ）（ｂ）（ｃ）点はそのリセット点を表している。このような時間情報の記録は、内部に時間発生部を持ち、記録の開始で時間情報がスタートし、一時停止や停止が行われた時にはテープ走行の停止と共に時間情報をリセットし、次に記録の再開で初期値からスタートするようにすれば良い。
なお、図２（Ｂ）の場合に、時間発生部で発生する時間情報をリセットせず、そのまま時間の経過を継続させる様にすると、同図（Ａ）と同じ形態の時間情報になる。また、記録が「一時停止」の時は時間情報を継続し、「停止」の時はリセットするように組合せ、テープ走行を停止したモードに応じて異なる内容で時間情報を記録しても良い。
【００１４】
次に、図１（Ｂ）に示すＤＶＣムービー２とのダビング接続を説明する。
デジタル記録式のビデオテープレコーダであるＤＶＣムービー２は、外部との接続をデジタルで行う場合には、同図で示すようにIEEE1394インタフェースを用いる。このインタフェースは、Video、Audio信号および各種のコントロール信号などをパケット化して時分割伝送を行う。この仕様は同じIEEE1394インタフェースを用いても機器によって異なるが、ＤＶＣムービー用にはＤＶ仕様の伝送形態として標準化されている。
したがって、受け側のディスク映像信号記録再生装置３はこのインタフェースに対応していることは当然であり、これにより、ディスク映像信号記録再生装置３には、前記図１（Ａ）の場合と同じようにVideo、Audio信号と共に時間情報が入力されることになる。なお、ＤＶＣムービー２は、記録時には前記図２（Ａ）または（Ｂ）に示す時間情報が記録できるようになっているものを用いる必要がある。
【００１５】
次に、図３を使って、本実施例におけるチャプタ作成機能付きのディスク映像信号記録再生装置について説明する。なお、ここでは記録機能についてのみ説明し再生機能については省略する。
図３において、外部より入来する入力信号は、前述の図２（Ａ）（Ｂ）で示したようにVideo、Audio信号と時間情報の３種である。この入力信号は、入力信号処理回路４で、アナログ、デジタル信号に応じて適宜信号処理されて、Video、Audio信号はエンコーダ回路５に、時間情報は時間情報入力部７へ夫々供給される。
エンコーダ回路５に供給されたアナログもしくはデジタルのVideo、Audio信号は、ここでＭＰＥＧ信号にエンコードされる。ここで用いるＭＰＥＧエンコード仕様は、ＤＶＤ記録媒体にVideo、Audio信号を記録する場合の標準化されたものを用いる。なおAudio信号についてはＭＰＥＧ以外のエンコード方式が使われる場合もある。
次にエンコードされたVideo、Audio信号は、後述のチャプタ信号を含む付帯情報と共にディスク記録部６に供給され、ＤＶＤ記録媒体に所定のフォーマットで記録される。
【００１６】
一方、時間情報入力部７へ供給された時間情報は、ここでその後の処理に必要なデータに変換され、メモリ回路８と不連続点検出部９に供給される。
不連続点検出部９は、入力された時間情報が規則正しく変化しているかを検出する部分で、メモリ回路８からの１データ前のデータと、入来したデータを比較して、その差が所定の範囲を超えている場合に不連続と判断するものである。前記所定の範囲は、時間情報のデータ間隔によって異なるが、最初に連続した時間情報が入来すれば簡単にそのデータ間隔から求めることが出来る。また、あらかじめ決まっている場合には、その値を設定しても良い。
前述の図２（Ａ）（Ｂ）で、夫々ａ、ｂ、ｃで示した各ポイントが時間情報の不連続点として検出される個所である。上記検出方法によれば、同図の（Ａ）の場合も（Ｂ）の場合も同様に不連続点が検出できる。
不連続点検出部９で上記の不連続点ａ、ｂ、ｃが検出されると、各タイミングでパルスがチャプタ作成制御部１０に供給され、ここでチャプタの作成に必要な情報を前記エンコーダ回路５に供給する。エンコーダ回路５では、供給されたチャプタの情報に基いてチャプタ信号を作成し、前記ＭＰＥＧエンコード信号と共にディスク記録部６に供給する。ディスク記録部６では、チャプタ信号を所定のフォーマットでＤＶＤ記録媒体に記録する。
【００１７】
このようにして、図２（Ａ）（Ｂ）のａ、ｂ、ｃで示した各点がチャプタの位置情報としてＤＶＤ記録媒体に記録されるので、このＤＶＤ記録媒体の再生時には、ａ、ｂ、ｃの個所を指定すればすぐにその場所を再生することができるようになる。
また、この時間情報の不連続点は、この映像を記録した時に「一時停止」や「停止」をした個所であるから、映像シーンが変わる所であり、チャプタの位置情報としてふさわしいポイントである。
なお、この不連続点の後の映像フレームを静止画として、このチャプタに関連付けてＤＶＤ記録媒体にサムネイル記録しておくことで、再生時にチャプタ個所のシーンが一目で分かるようになりチャプタの選択が楽になる。
【産業上の利用可能性】
【００１８】
テープ媒体に記録された映像信号をディスク媒体にダビング記録して、ディスク媒体の特徴である再生時のアクセスの良さを有効に生かすには、ディスク媒体にチャプタ情報が記録されていることが重要である。本発明は、収録時にはテープ媒体を用い、その後の編集や場面の選択をする鑑賞にはディスク媒体を使用するという形態での使い方をより便利にするもので、今後の製品への応用の可能性が高いと言える。
【図面の簡単な説明】
【００１９】
【図１】本実施例に係るダビング記録時の接続例を示す図である。
【図２】本実施例における時間情報を説明する図である。
【図３】本実施例におけるディスク映像信号記録再生装置のチャプタ記録に関わる部分のブロック図である。
【符号の説明】
【００２０】
１  アナログ式ビデオテープレコーダ
２  ＤＶＣムービー
３  ディスク映像信号記録再生装置
４  入力信号処理回路
５  エンコーダ回路
６  ディスク記録部
７  時間情報入力部
８  メモリ回路
９  不連続点検出回路
１０  チャプタ作成制御部
【図１】
2005038512.tif 000003
【図２】
2005038512.tif 000004
【図３】
2005038512.tif 000005